(57)【要約】【課題】移動通信制御システムにおいて、パケットのヘッダサイズ問題、ルート最適化問題及びロケーションプライバシー問題を解決する。【解決手段】発信元アクセスノードＡＮ＃１が、宛先移動通信端末ＭＴ＃２の第１のアドレスＨｏＡを、宛先移動通信端末ＭＴ＃２の第２のアドレスＲＡ＃１に変換する。宛先アクセスノードＡＮ＃２が、宛先移動通信端末ＭＴ＃２の第２のアドレスＲＡ＃２を、宛先移動通信端末ＭＴ＃２の第３のアドレスＲＡ＃２に変換する。モバイルノードＭＮが、宛先移動通信端末ＭＴ＃２の第３のアドレスＲＡ＃２を、宛先移動通信端末ＭＴ＃２の第１のアドレスＨｏＡに変換する。【選択図】      図１
2004242019.tif 000002
【特許請求の範囲】
【請求項１】
複数のアクセスノードとモバイルノードとを具備する移動通信制御システムであって、
発信元移動通信端末が無線接続している発信元アクセスノードは、
前記モバイルノードに無線接続されている宛先移動通信端末の第１のアドレス及び第２のアドレスを関連付けて管理するアドレス管理部と、
前記発信元移動通信端末から送信されたパケットにおいて宛先アドレスとして設定されている前記宛先移動通信端末の第１のアドレスを、該宛先移動通信端末の第１のアドレスに関連付けられている前記宛先移動通信端末の第２のアドレスに変換するアドレス変換部と、
変換された前記宛先アドレスに基づいて、前記モバイルノードが無線接続している宛先アクセスノードに対して、前記パケットをルーティングするルーティング部とを具備し、
前記宛先アクセスノードは、
前記宛先移動通信端末の第２のアドレス及び第３のアドレスを関連付けて管理するアドレス管理部と、
受信した前記パケットにおいて宛先アドレスとして設定されている前記宛先移動通信端末の第２のアドレスを、該宛先移動通信端末の第２のアドレスに関連付けられている前記宛先移動通信端末の第３のアドレスに変換するアドレス変換部と、
変換された前記宛先アドレスに基づいて、前記モバイルノードに対して前記パケットをルーティングするルーティング部とを具備し、
前記モバイルノードは、
前記宛先移動通信端末の第１のアドレス及び第３のアドレスを関連付けて管理するアドレス管理部と、
受信した前記パケットにおいて宛先アドレスとして設定されている前記宛先移動通信端末の第３のアドレスを、該宛先移動通信端末の第３のアドレスに関連付けられている前記宛先移動通信端末の第１のアドレスに変換するアドレス変換部と、
変換された前記宛先アドレスに基づいて、前記宛先移動通信端末に前記パケットを転送するパケット転送部とを具備することを特徴とする移動通信制御システム。
【請求項２】
ネットワーク管理サーバを具備し、
前記モバイルノードは、第１のアドレス及び第３のアドレスを管理していない新規移動通信端末から送信されたアドレス割当要求に応じて、前記ネットワーク管理サーバに対して、該新規移動通信端末についてのアドレス割当情報を送信するアドレス割当情報送信部を具備し、
前記ネットワーク管理サーバは、
受信した前記アドレス割当情報に応じて、前記新規移動通信端末の第１のアドレスと第２のアドレスと第３のアドレスとを関連付けて管理するアドレス管理部と、
前記発信元アクセスノード及び前記宛先アクセスノードに対して、前記新規移動通信端末についてのアドレス割当指示を送信するアドレス割当指示送信部とを具備し、
前記発信元アクセスノードのアドレス管理部は、前記アドレス割当指示に応じて、前記新規移動通信端末の第１のアドレス及び第２のアドレスを関連付けて管理し、
前記宛先アクセスノードのアドレス管理部は、前記アドレス割当指示に応じて、前記新規移動通信端末の第２のアドレス及び第３のアドレスを関連付けて管理することを特徴とする請求項１に記載の移動通信制御システム。
【請求項３】
ネットワーク管理サーバを具備し、
前記宛先アクセスノードは、前記モバイルノードから送信されたアドレス割当要求に応じて、前記ネットワーク管理サーバに対して、該モバイルノードに無線接続されている全ての移動通信端末についてのアドレス割当情報を送信するアドレス割当情報送信部を具備し、
前記ネットワーク管理サーバは、
受信した前記アドレス割当情報に応じて、前記全ての移動通信端末の第１のアドレスと第２のアドレスと第３のアドレスとを関連付けて管理するアドレス管理部と、
前記発信元アクセスノードに対して、前記全ての移動通信端末に対するアドレス割当指示を送信するアドレス割当指示送信部とを具備し、
前記発信元アクセスノードのアドレス管理部は、前記アドレス割当指示に応じて、前記全ての移動通信端末の第１のアドレス及び第２のアドレスを関連付けて管理することを特徴とする請求項１に記載の移動通信制御システム。
【請求項４】
宛先アクセスノードに無線接続されているモバイルノードに無線接続されている宛先移動通信端末に対して、パケットを転送する移動通信ネットワークに設置されているネットワーク管理サーバであって、
前記モバイルノードから受信したアドレス割当情報に応じて、前記宛先移動通信端末の第１のアドレスと第２のアドレスと第３のアドレスとを関連付けて管理するアドレス管理部と、
発信元移動通信端末が無線接続されている発信元アクセスノードに対して、前記宛先移動通信端末の第１のアドレス及び第２のアドレスを関連付けて管理するように指示し、前記宛先アクセスノードに対して、前記宛先移動通信端末の第２のアドレス及び第３のアドレスを関連付けて管理するように指示するアドレス割当指示を送信するアドレス割当指示送信部とを具備することを特徴とするネットワーク管理サーバ。
【請求項５】
宛先アクセスノードに無線接続されているモバイルノードに無線接続されている宛先移動通信端末に対して、パケットを転送する移動通信ネットワークに設置されているネットワーク管理サーバであって、
前記宛先アクセスノードから受信したアドレス割当情報に応じて、前記宛先移動通信端末の第１のアドレスと第２のアドレスと第３のアドレスとを関連付けて管理するアドレス管理部と、
発信元移動通信端末が無線接続されている発信元アクセスノードに対して、前記宛先移動通信端末の第１のアドレス及び第２のアドレスを関連付けて管理するように指示するアドレス割当指示を送信するアドレス割当指示送信部とを具備することを特徴とするネットワーク管理サーバ。
【請求項６】
発信元アクセスノードに無線接続されている発信元移動通信端末から、宛先アクセスノードに無線接続されているモバイルノードに無線接続されている宛先移動通信端末に対して、パケットを転送する移動通信ネットワークに設置されているモバイルノードであって、
前記宛先移動通信端末の第１のアドレス及び第３のアドレスを関連付けて管理するアドレス管理部と、
前記発信元アクセスノードから送信された前記パケットにおいて宛先アドレスとして設定されている前記移動通信端末の第３のアドレスを、該移動通信端末の第３のアドレスに関連付けられている前記移動通信端末の第１のアドレスに変換するアドレス変換部と、
変換された前記宛先アドレスに基づいて、前記宛先移動通信端末に前記パケットを転送するパケット転送部と、
第１のアドレス及び第３のアドレスを管理していない新規移動通信端末から送信されたアドレス割当要求に応じて、ネットワーク管理サーバに対して、該新規移動通信端末の第１のアドレス及び第３のアドレスを含むアドレス割当情報を送信するアドレス割当情報送信部とを具備することを特徴とするモバイルノード。
【請求項７】
現在無線接続している第１のアクセスノードと異なる第２のアクセスノードにより管理されるエリアに入ったことを検出した場合、該モバイルノードに無線接続されている全ての移動通信端末に対するアドレス割当要求を、該第２のアクセスノードに送信するアドレス割当要求送信部を具備することを特徴とする請求項６に記載のモバイルノード。
【請求項８】
アクセスノードに無線接続されているモバイルノードに無線接続されている宛先移動通信端末に対して、パケットを転送する移動通信ネットワークに設置されているアクセスノードであって、
前記モバイルノードに無線接続されている全ての宛先移動通信端末の第２のアドレス及び第３のアドレスを関連付けて管理するアドレス管理部と、
発信元移動通信端末が無線接続している発信元アクセスノードから受信した前記パケットにおいて宛先アドレスとして設定されている前記宛先移動通信端末の第２のアドレスを、該宛先移動通信端末の第２のアドレスに関連付けられている前記宛先移動通信端末の第３のアドレスに変換するアドレス変換部と、
変換された前記宛先アドレスに基づいて、前記モバイルノードに対して前記パケットをルーティングするルーティング部と、
前記モバイルノードから送信されたアドレス割当要求に応じて、ネットワーク管理サーバに対して、前記宛先移動通信端末の第２のアドレス及び第３のアドレスを含むアドレス割当情報を送信するアドレス割当通知部とを具備することを特徴とするアクセスノード。
【請求項９】
複数のアクセスノードとアンカーノードとモバイルノードとを具備する移動通信制御システムであって、
発信元移動通信端末が無線接続している発信元アクセスノードは、
前記モバイルノードに無線接続されている宛先移動通信端末の第１のアドレス及び第２のアドレスを関連付けて管理するアドレス管理部と、
前記発信元移動通信端末から送信されたパケットにおいて宛先アドレスとして設定されている前記宛先移動通信端末の第１のアドレスを、該宛先移動通信端末の第１のアドレスに関連付けられている前記宛先移動通信端末の第２のアドレスに変換するアドレス変換部と、
変換された前記宛先アドレスに基づいて、前記アンカーノードに対して、前記パケットをルーティングするルーティング部とを具備し、
前記アンカーノードは、
前記宛先移動通信端末の第２のアドレスと第３のアドレスと前記モバイルノードを特定するカプセル化情報とを関連付けて管理するアドレス管理部と、
前記発信元アクセスノードから送信されたパケットにおいて宛先アドレスとして設定されている前記宛先移動通信端末の第２のアドレスを、該宛先移動通信端末の第２のアドレスに関連付けられている前記宛先移動通信端末の第３のアドレスに変換し、宛先アドレスが変換された該パケットを、該宛先移動通信端末の第２のアドレスに関連付けられている前記カプセル化情報でカプセル化するアドレス変換部と、
前記カプセル化情報に基づいて、前記モバイルノードが接続している宛先アクセスノードに対して、前記パケットをルーティングするルーティング部とを具備し、
前記宛先アクセスノードは、
前記カプセル化情報を管理するアドレス管理部と、
受信した前記パケットについてカプセル化解除し、該パケット内に前記宛先通信端末の第３のアドレスが含まれている場合、該パケットにカプセル化されていた前記カプセル化情報により特定される前記モバイルノードに対して、該パケットをルーティングするルーティング部とを具備し、
前記モバイルノードは、
前記宛先移動通信端末の第１のアドレス及び第３のアドレスを関連付けて管理するアドレス管理部と、
受信した前記パケットにおいて宛先アドレスとして設定されている前記宛先移動通信端末の第３のアドレスを、該宛先移動通信端末の第３のアドレスに関連付けられている前記宛先移動通信端末の第１のアドレスに変換するアドレス変換部と、
変換された前記宛先アドレスに基づいて、前記宛先移動通信端末に前記パケットを転送するパケット転送部とを具備することを特徴とする移動通信制御システム。
【請求項１０】
ネットワーク管理サーバを具備し、
前記モバイルノードは、第１のアドレス及び第３のアドレスを管理していない新規移動通信端末から送信されたアドレス割当要求に応じて、前記ネットワーク管理サーバに対して、該新規移動通信端末についてのアドレス割当情報を送信するアドレス割当情報送信部を具備し、
前記ネットワーク管理サーバは、
受信した前記アドレス割当情報に応じて、前記新規移動通信端末の第１のアドレスと第２のアドレスと第３のアドレスと前記カプセル化情報とを関連付けて管理するアドレス管理部と、
前記発信元アクセスノード及び前記アンカーノードに対して、前記新規移動通信端末についてのアドレス割当指示を送信するアドレス割当指示送信部とを具備し、
前記発信元アクセスノードのアドレス管理部は、前記アドレス割当指示に応じて、前記新規移動通信端末の第１のアドレス及び第２のアドレスを関連付けて管理し、
前記アンカーノードのアドレス管理部は、前記アドレス割当指示に応じて、前記新規移動通信端末の第２のアドレスと第３のアドレスと前記カプセル化情報とを関連付けて管理することを特徴とする請求項９に記載の移動通信制御システム。
【請求項１１】
ネットワーク管理サーバを具備し、
前記宛先アクセスノードは、前記モバイルノードから送信されたアドレス割当要求に応じて、前記ネットワーク管理サーバに対して、前記カプセル化情報を含むアドレス割当情報を送信するアドレス割当情報送信部を具備し、
前記ネットワーク管理サーバは、
受信した前記アドレス割当情報に応じて、前記モバイルノードに無線接続されている全ての移動通信端末の第１のアドレスと第２のアドレスと第３のアドレスと前記カプセル化情報とを関連付けて管理するアドレス管理部と、
前記アンカーノードに対して、前記全ての移動通信端末についてのアドレス割当指示を送信するアドレス割当指示送信部とを具備し、
前記アンカーノードのアドレス管理部は、前記アドレス割当指示に応じて、前記全ての移動通信端末の第２のアドレスと第３のアドレスと前記カプセル化情報とを関連付けて管理することを特徴とする請求項９に記載の移動通信制御システム。
【請求項１２】
宛先アクセスノードに無線接続されているモバイルノードに無線接続されている移動通信端末に対して、アンカーノードを介してパケットを転送する移動通信ネットワークに設置されているネットワーク管理サーバであって、
前記モバイルノードから受信した新規移動通信端末についてのアドレス割当情報に応じて、該新規移動通信端末の第１のアドレスと第２のアドレスと第３のアドレスと前記モバイルノードを特定するカプセル化情報とを関連付けて管理するアドレス管理部と、
発信元移動通信端末が無線接続している発信元アクセスノードに対して、前記新規移動通信端末の第１のアドレス及び第２のアドレスを関連付けて管理するように指示するアドレス割当指示を送信し、前記アンカーノードに対して、前記新規移動通信端末の第２のアドレスと第３のアドレスと前記カプセル化情報とを関連付けて管理するように指示するするアドレス割当指示を送信するアドレス割当指示送信部とを具備することを特徴とするネットワーク管理サーバ。
【請求項１３】
宛先アクセスノードに無線接続されているモバイルノードに無線接続されている移動通信端末に対して、アンカーノードを介してパケットを転送する移動通信ネットワークに設置されているネットワーク管理サーバであって、
前記宛先アクセスノードから受信したアドレス割当情報に応じて、前記モバイルノードに無線接続されている全ての移動通信端末の第１のアドレスと第２のアドレスと第３のアドレスと前記モバイルノードを特定するカプセル化情報とを関連付けて管理するアドレス管理部と、
前記アンカーノードに対して、前記全ての移動通信端末の第２のアドレスと第３のアドレスと前記カプセル化情報とを関連付けて管理するように指示するアドレス割当指示を送信するアドレス割当指示送信部とを具備することを特徴とするネットワーク管理サーバ。
【請求項１４】
宛先アクセスノードに無線接続されているモバイルノードに無線接続されている宛先移動通信端末に対して、アンカーノードを介してパケットを転送する移動通信ネットワークに設置されているアクセスノードであって、
前記モバイルノードを特定するカプセル化情報を管理するアドレス管理部と、前記アンカーノードから受信したパケット内に前記宛先移動通信端末のアドレスが含まれている場合、該パケットのカプセル化に用いられている前記カプセル化情報により特定される前記モバイルノードに対して、カプセル化解除した該パケットをルーティングするルーティング部とを具備することを特徴とするアクセスノード。
【請求項１５】
宛先アクセスノードに無線接続されているモバイルノードに無線接続されている宛先移動通信端末に対して、アンカーノードを介してパケットを転送する移動通信ネットワークに設置されているアンカーノードであって、
前記宛先移動通信端末の第２のアドレスと第３のアドレスと前記モバイルノードを特定するカプセル化情報とを関連付けて管理するアドレス管理部と、
発信元移動通信端末が無線接続している発信元アクセスノードから送信されたパケットにおいて宛先アドレスとして設定されている前記宛先移動通信端末の第２のアドレスを、該宛先移動通信端末の第２のアドレスに関連付けられている前記宛先移動通信端末の第３のアドレスに変換し、宛先アドレスが変換された該パケットを、該宛先移動通信端末の第２のアドレスに関連付けられている前記カプセル化情報でカプセル化するアドレス変換部と、
前記カプセル化情報に基づいて、前記宛先アクセスノードに対して、カプセル化された前記パケットをルーティングするルーティング部とを具備することを特徴とするアンカーノード。
【請求項１６】
複数のアクセスノードとモバイルノードとを具備する移動通信制御システムであって、
発信元移動通信端末が無線接続している発信元アクセスノードは、
前記モバイルノードに無線接続されている宛先移動通信端末の第１のアドレス及び第２のアドレスを関連付けて管理するアドレス管理部と、
前記発信元移動通信端末から送信されたパケットにおいて宛先アドレスとして設定されている前記宛先移動通信端末の第１のアドレスを、該宛先移動通信端末の第１のアドレスに関連付けられている前記宛先移動通信端末の第２のアドレスに変換するアドレス変換部と、
変換された前記宛先アドレスに基づいて、前記モバイルノードに対して、前記パケットをルーティングするルーティング部とを具備し、
前記モバイルノードは、
前記宛先移動通信端末の第１のアドレス及び第２のアドレスを関連付けて管理するアドレス管理部と、
受信した前記パケットにおいて宛先アドレスとして設定されている前記宛先移動通信端末の第２のアドレスを、該宛先移動通信端末の第２のアドレスに関連付けられている前記宛先移動通信端末の第１のアドレスに変換するアドレス変換部と、
変換された前記宛先アドレスに基づいて、前記宛先移動通信端末に前記パケットを転送するパケット転送部とを具備することを特徴とする移動通信制御システム。
【請求項１７】
前記モバイルノードが無線接続している宛先アクセスノードは、該モバイルノードから送信されたアドレス割当要求に応じて、該宛先アクセスノードに割り当てられているアドレス領域の中から、該モバイルノードに対して所定のアドレス領域を割り当てるアドレス割当部を具備し、
前記モバイルノードのアドレス管理部は、第１アドレス及び第２のアドレスを管理していない新規移動通信端末から送信されたアドレス割当要求に応じて、前記所定のアドレス領域の中から該新規移動通信端末の第２のアドレスを割り当てることによって、該新規移動通信端末の第１のアドレスと第２のアドレスとを関連付けて管理することを特徴とする請求項１６に記載の移動通信制御システム。
【請求項１８】
宛先アクセスノードに無線接続されているモバイルノードに無線接続されている宛先移動通信端末に対して、パケットを転送する移動通信ネットワークに設置されているモバイルノードであって、
前記宛先移動通信端末の第１のアドレス及び第２のアドレスを関連付けて管理するアドレス管理部と、
発信元移動通信端末が無線接続している発信元アクセスノードから送信された前記パケットにおいて宛先アドレスとして設定されている前記移動通信端末の第２のアドレスを、該移動通信端末の第２のアドレスに関連付けられている前記移動通信端末の第１のアドレスに変換するアドレス変換部と、
変換された前記宛先アドレスに基づいて、前記宛先移動通信端末に前記パケットを転送するパケット転送部とを具備し、
前記アドレス管理部は、第１のアドレス及び第２のアドレスを管理してない新規移動通信端末から送信されたアドレス割当要求に応じて、前記宛先アクセスノードにより割り当てられている所定のアドレス領域の中から該新規移動通信端末の第２のアドレスを割り当てることによって、該新規移動通信端末の第１のアドレスと第２のアドレスとを関連付けて管理することを特徴とするモバイルノード。
【請求項１９】
アクセスノードに無線接続されているモバイルノードに無線接続されている宛先移動通信端末に対して、パケットを転送する移動通信ネットワークに設置されているアクセスノードであって、
前記モバイルノードから送信されたアドレス割当要求に応じて、該宛先アクセスノードに割り当てられているアドレス領域の中から、該モバイルノードに対して所定のアドレス領域を割り当てるアドレス割当部を具備することを特徴とするアクセスノード。
【請求項２０】
宛先アクセスノードに無線接続されているモバイルノードに無線接続されている移動通信端末に対して、パケットを転送する移動通信ネットワークに設置されているネットワーク管理サーバであって、
前記モバイルノードに無線接続されている複数の前記移動通信端末のアドレスをまとめて管理することを特徴とするネットワーク管理サーバ。
【発明の詳細な説明】
【０００１】
【発明の属する技術分野】
本発明は、移動通信制御システム、ネットワーク管理サーバ、モバイルノード、アクセスノード及びアンカーノードに関する。
【０００２】
【従来の技術】
従来、Ｍｏｂｉｌｅ  ＩＰ（ＭＩＰ）  ｂａｓｅｄ  Ｂｉｄｉｒｅｃｔｉｏｎａｌ−Ｔｕｎｎｅｌ技術を用いた移動通信制御システムが知られている（例えば、非特許文献１参照）。
【０００３】
図１８及び図１９を参照して、ＭＩＰ  ｂａｓｅｄ  Ｂｉｄｉｒｅｃｔｉｏｎａｌ−Ｔｕｎｎｅｌ技術を用いた移動通信制御システムについて説明する。
【０００４】
かかる移動通信制御システムは、図１８に示すように、アクセスノード（発信元アクセスノード）ＡＮ＃１に無線接続されているモバイル端末（発信元移動通信端末）ＭＴ＃１から、モバイルノードＭＮに無線接続されているモバイル端末（宛先移動通信端末）ＭＴ＃２に対して、パケットを転送するものである。
【０００５】
ここで、図１９を参照して、かかる移動通信制御システムにおいてパケットを転送する動作を説明する。
【０００６】
図１９に示すように、ステップ１８０１において、モバイル端末ＭＴ＃１が、無線通信回線を介して、モバイル端末ＭＴ＃２の気付アドレスＣｏＡ（Ｃａｒｅｏｆ  Ａｄｄｒｅｓｓ）及びホームアドレスＨｏＡ（Ｈｏｍｅ  Ａｄｄｒｅｓｓ）をパケットヘッダに設定したパケットａを、アクセスノードＡＮ＃１に送信する。
【０００７】
ここで、モバイル端末ＭＴ＃１は、モバイル端末ＭＴ＃２から、モバイル端末ＭＴ＃２のロケーション情報を含むモバイル端末ＭＴ＃２の気付アドレスＣｏＡを、既に取得しているものとする。
【０００８】
ステップ１８０２において、アクセスノードＡＮ＃１が、受信したパケットａを、上述のモバイル端末ＭＴ＃２の気付アドレスＣｏＡに基づいて、コアネットワーク１を介して、上述のモバイルノードＭＮのホームエージェントＨＡに転送する。
【０００９】
ステップ１８０３において、ホームエージェントＨＡが、上述のモバイル端末ＭＴ＃２の気付アドレスＣｏＡ及びホームアドレスＨｏＡに基づいてモバイルノードＭＮとの間でカプセル化（カプセリング処理）したパケットｂを、コアネットワーク１及びアクセスノードＡＮ＃２を介して、モバイルノードＭＮに転送する。
【００１０】
ステップ１８０４において、モバイルノードＭＮが、受信したパケットｂについてカプセル化解除（デカプセリング処理）を行ったパケットｃを、無線通信回線（モバイルネットワーク２）を介して、モバイル端末ＭＴ＃２に送信する。
【００１１】
また、Ｍｏｂｉｌｅ  ＩＰ（ＭＩＰ）  ｂａｓｅｄ  Ｓｏｕｒｃｅ  ｒｏｕｔｉｎｇ技術を用いた移動通信制御システムが知られている（例えば、非特許文献２参照）。
【００１２】
図１８及び図２０を参照して、ＭＩＰ  ｂａｓｅｄ  Ｓｏｕｒｃｅ  ｒｏｕｔｉｎｇ技術を用いた移動通信制御システムについて説明する。
【００１３】
かかる移動通信制御システムは、図１８に示すように、アクセスノード（発信元アクセスノード）ＡＮ＃１に無線接続されているモバイル端末（発信元移動通信端末）ＭＴ＃１から、モバイルノードＭＮに無線接続されているモバイル端末（宛先移動通信端末）ＭＴ＃２に対して、パケットを転送するものである。
【００１４】
ここで、図２０を参照して、かかる移動通信制御システムにおいてパケットを転送する動作を説明する。
【００１５】
図２０に示すように、ステップ１９０１において、モバイル端末ＭＴ＃１が、無線通信回線を介して、モバイルノードＭＮの気付アドレスＣｏＡとモバイル端末ＭＴ＃２の気付アドレスＣｏＡとモバイル端末ＭＴ＃２のホームアドレスＨｏＡとをパケットヘッダに設定したパケットａを、アクセスノードＡＮ＃１に送信する。
【００１６】
ここで、モバイル端末ＭＴ＃１は、モバイル端末ＭＴ＃２から、モバイル端末ＭＴ＃２のロケーション情報を含むモバイル端末ＭＴ＃２の気付アドレスＣｏＡ及びモバイルノードＭＮのロケーション情報を含むモバイルノードＭＮの気付アドレスＣｏＡを、既に取得しているものとする。
【００１７】
ステップ１９０２において、モバイルノードＭＮが、受信したパケットａを、モバイル端末ＭＴ＃２の気付アドレスＣｏＡとモバイルノードＭＮの気付アドレスＣｏＡとモバイル端末ＭＴ＃２のホームアドレスＨｏＡとをパケットヘッダに設定したパケットｂに変換して、無線通信回線（モバイルネットワーク２）を介してモバイル端末ＭＴ＃２に送信する。
【００１８】
【非特許文献１】
Ｔｈｅ  Ｉｎｔｅｒｎｅｔ  Ｓｏｃｉｅｔｙ著、「Ｍｏｂｉｌｅ  Ｒｏｕｔｅｒ  Ｔｕｎｎｅｌｉｎｇ  Ｐｒｏｔｏｃｏｌ」、ｈｔｔｐ：／／ｗｗｗ．ｎａｌ．ｍｏｔｌａｂｓ．ｃｏｍ／ｎｅｍｏ／ｄｒａｆｔｓ／ｄｒａｆｔ−ｋｎｉｖｅｔｏｎ−ｍｏｂｒｔｒ．ｔｘｔ
【００１９】
【非特許文献２】
Ｔｈｅ  Ｉｎｔｅｒｎｅｔ  Ｓｏｃｉｅｔｙ著、「ＩＰｖ６  ＲｅｓｅｒｖｅＲｏｕｔｉｎｇ  Ｈｅａｄｅｒ  ａｎｄ  ｉｔｓ  ａｐｐｌｉｃａｔｉｏｎ  ｔｏ  Ｍｏｂｉｌｅ  Ｎｅｔｗｏｒｋｓ」、ｈｔｔｐ：／／ｗｗｗ．ｎａｌ．ｍｏｔｌａｂｓ．ｃｏｍ／ｎｅｍｏ／ｄｒａｆｔｓ／ｄｒａｆｔ−ｔｈｕｂｅｒｔ−ｎｅｍｏ−ｒｅｖｅｒｓｅ−ｒｏｕｔｉｎｇ−ｈｅａｄｅｒ．ｔｘｔ
【００２０】
【発明が解決しようとする課題】
しかしながら、従来のＭＩＰ  ｂａｓｅｄ  Ｂｉｄｉｒｅｃｔｉｏｎａｌ−Ｔｕｎｎｅｌ技術を用いた移動通信制御システムでは、上述のようにカプセリング処理を施すため、パケットのヘッダサイズが大きくなってしまうという問題点があった。
【００２１】
また、かかる移動通信制御システムでは、パケットが、必ず、モバイルノードＭＮのホームエージェントＨＡを経由するため、ルート最適化が実現できないという問題点があった。
【００２２】
また、かかる移動通信制御システムでは、発信元モバイル端末ＭＴ＃１に、宛先モバイル端末ＭＴ＃２のロケーション情報を含む宛先モバイル端末ＭＴ＃２の気付アドレスＣｏＡを通知する必要があるため、ロケーションプライバシーが図られないという問題点があった。
【００２３】
また、従来のＭＩＰ  ｂａｓｅｄ  Ｓｏｕｒｃｅ  ｒｏｕｔｉｎｇ技術を用いた移動通信制御システムでは、発信元モバイル端末ＭＴ＃１が、モバイルノードＭＮの気付アドレスＣｏＡ及び宛先モバイル端末ＭＴ＃２の気付アドレスＣｏＡをパケットヘッダに設定する必要があるため、パケットのヘッダサイズが大きくなってしまうという問題点があった。
【００２４】
また、かかる移動通信制御システムでは、発信元モバイル端末ＭＴ＃１に、宛先モバイル端末ＭＴ＃２のロケーション情報を含む宛先モバイル端末ＭＴ＃２の気付アドレスＣｏＡと、モバイルノードＭＮのロケーション情報を含むモバイルノードの気付アドレスＣｏＡとを通知する必要があるため、ロケーションプライバシーが図られないという問題点があった。
【００２５】
そこで、本発明は、以上の点に鑑みてなされたもので、上述のパケットのヘッダサイズ問題、ルート最適化問題及びロケーションプライバシー問題を解決するための移動通信制御システム、ネットワーク管理サーバ、モバイルノード、アクセスノード及びアンカーノードを提供することを目的とする。
【００２６】
【課題を解決するための手段】
本発明の第１の特徴は、複数のアクセスノードとモバイルノードとを具備する移動通信制御システムであって、発信元移動通信端末が無線接続している発信元アクセスノードが、前記モバイルノードに無線接続されている宛先移動通信端末の第１のアドレス及び第２のアドレスを関連付けて管理するアドレス管理部と、前記発信元移動通信端末から送信されたパケットにおいて宛先アドレスとして設定されている前記宛先移動通信端末の第１のアドレスを、該宛先移動通信端末の第１のアドレスに関連付けられている前記宛先移動通信端末の第２のアドレスに変換するアドレス変換部と、変換された前記宛先アドレスに基づいて、前記モバイルノードが無線接続している宛先アクセスノードに対して、前記パケットをルーティングするルーティング部とを具備し、前記宛先アクセスノードが、前記宛先移動通信端末の第２のアドレス及び第３のアドレスを関連付けて管理するアドレス管理部と、受信した前記パケットにおいて宛先アドレスとして設定されている前記宛先移動通信端末の第２のアドレスを、該宛先移動通信端末の第２のアドレスに関連付けられている前記宛先移動通信端末の第３のアドレスに変換するアドレス変換部と、変換された前記宛先アドレスに基づいて、前記モバイルノードに対して前記パケットをルーティングするルーティング部とを具備し、前記モバイルノードが、前記宛先移動通信端末の第１のアドレス及び第３のアドレスを関連付けて管理するアドレス管理部と、受信した前記パケットにおいて宛先アドレスとして設定されている前記宛先移動通信端末の第３のアドレスを、該宛先移動通信端末の第３のアドレスに関連付けられている前記宛先移動通信端末の第１のアドレスに変換するアドレス変換部と、変換された前記宛先アドレスに基づいて、前記宛先移動通信端末に前記パケットを転送するパケット転送部とを具備することを要旨とする。
【００２７】
かかる発明によれば、発信元移動通信端末から宛先移動通信端末へのパケット転送に当たって、発信元アクセスノードのアドレス変換部が、パケット内に設定されている宛先移動通信端末の第１のアドレスを第２のアドレスに変換し、宛先アクセスノードのアドレス変換部が、パケット内に設定されている宛先移動通信端末の第２のアドレスを第３のアドレスに変換し、モバイルノードのアドレス変換部が、パケット内に設定されている宛先移動通信端末の第３のアドレスを第１のアドレスに変換するため、パケットのヘッダサイズが大きくなるという問題点を解決することができる。
【００２８】
また、かかる発明によれば、パケットは、モバイルノードのホームエージェントを介することなく、発信元アクセスノードと宛先アクセスノードとモバイルノードを介して、発信元移動通信端末から宛先移動通信端末に転送されるため、ルート最適化が実現できないという問題点を解決することができる。
【００２９】
また、かかる発明によれば、発信元移動通信端末は、宛先アドレスとして、移動通信端末の第１のアドレス（ホームアドレス）を設定すればよいため、ロケーションプライバシーの問題点を解決することができる。
【００３０】
本発明の第１の特徴において、ネットワーク管理サーバを具備し、前記モバイルノードが、第１のアドレス及び第３のアドレスを管理していない新規移動通信端末から送信されたアドレス割当要求に応じて、前記ネットワーク管理サーバに対して、該新規移動通信端末についてのアドレス割当情報を送信するアドレス割当情報送信部を具備し、前記ネットワーク管理サーバが、受信した前記アドレス割当情報に応じて、前記新規移動通信端末の第１のアドレスと第２のアドレスと第３のアドレスとを関連付けて管理するアドレス管理部と、前記発信元アクセスノード及び前記宛先アクセスノードに対して、前記新規移動通信端末についてのアドレス割当指示を送信するアドレス割当指示送信部とを具備し、前記発信元アクセスノードのアドレス管理部は、前記アドレス割当指示に応じて、前記新規移動通信端末の第１のアドレス及び第２のアドレスを関連付けて管理し、前記宛先アクセスノードのアドレス管理部が、前記アドレス割当指示に応じて、前記新規移動通信端末の第２のアドレス及び第３のアドレスを関連付けて管理することが好ましい。
【００３１】
また、本発明の第１の特徴において、ネットワーク管理サーバを具備し、前記宛先アクセスノードが、前記モバイルノードから送信されたアドレス割当要求に応じて、前記ネットワーク管理サーバに対して、該モバイルノードに無線接続されている全ての移動通信端末についてのアドレス割当情報を送信するアドレス割当情報送信部を具備し、前記ネットワーク管理サーバが、受信した前記アドレス割当情報に応じて、前記全ての移動通信端末の第１のアドレスと第２のアドレスと第３のアドレスとを関連付けて管理するアドレス管理部と、前記発信元アクセスノードに対して、前記全ての移動通信端末に対するアドレス割当指示を送信するアドレス割当指示送信部とを具備し、前記発信元アクセスノードのアドレス管理部が、前記アドレス割当指示に応じて、前記全ての移動通信端末の第１のアドレス及び第２のアドレスを関連付けて管理することが好ましい。
【００３２】
本発明の第２の特徴は、宛先アクセスノードに無線接続されているモバイルノードに無線接続されている宛先移動通信端末に対して、パケットを転送する移動通信ネットワークに設置されているネットワーク管理サーバであって、前記モバイルノードから受信したアドレス割当情報に応じて、前記宛先移動通信端末の第１のアドレスと第２のアドレスと第３のアドレスとを関連付けて管理するアドレス管理部と、発信元移動通信端末が無線接続されている発信元アクセスノードに対して、前記宛先移動通信端末の第１のアドレス及び第２のアドレスを関連付けて管理するように指示し、前記宛先アクセスノードに対して、前記宛先移動通信端末の第２のアドレス及び第３のアドレスを関連付けて管理するように指示するアドレス割当指示を送信するアドレス割当指示送信部とを具備することを要旨とする。
【００３３】
本発明の第３の特徴は、宛先アクセスノードに無線接続されているモバイルノードに無線接続されている宛先移動通信端末に対して、パケットを転送する移動通信ネットワークに設置されているネットワーク管理サーバであって、前記宛先アクセスノードから受信したアドレス割当情報に応じて、前記宛先移動通信端末の第１のアドレスと第２のアドレスと第３のアドレスとを関連付けて管理するアドレス管理部と、発信元移動通信端末が無線接続されている発信元アクセスノードに対して、前記宛先移動通信端末の第１のアドレス及び第２のアドレスを関連付けて管理するように指示するアドレス割当指示を送信するアドレス割当指示送信部とを具備することを要旨とする。
【００３４】
本発明の第４の特徴は、発信元アクセスノードに無線接続されている発信元移動通信端末から、宛先アクセスノードに無線接続されているモバイルノードに無線接続されている宛先移動通信端末に対して、パケットを転送する移動通信ネットワークに設置されているモバイルノードであって、前記宛先移動通信端末の第１のアドレス及び第３のアドレスを関連付けて管理するアドレス管理部と、前記発信元アクセスノードから送信された前記パケットにおいて宛先アドレスとして設定されている前記移動通信端末の第３のアドレスを、該移動通信端末の第３のアドレスに関連付けられている前記移動通信端末の第１のアドレスに変換するアドレス変換部と、変換された前記宛先アドレスに基づいて、前記宛先移動通信端末に前記パケットを転送するパケット転送部と、第１のアドレス及び第３のアドレスを管理していない新規移動通信端末から送信されたアドレス割当要求に応じて、ネットワーク管理サーバに対して、該新規移動通信端末の第１のアドレス及び第３のアドレスを含むアドレス割当情報を送信するアドレス割当情報送信部とを具備することを要旨とする。
【００３５】
本発明の第５の特徴は、アクセスノードに無線接続されているモバイルノードに無線接続されている宛先移動通信端末に対して、パケットを転送する移動通信ネットワークに設置されているアクセスノードであって、前記モバイルノードに無線接続されている全ての宛先移動通信端末の第２のアドレス及び第３のアドレスを関連付けて管理するアドレス管理部と、発信元移動通信端末が無線接続している発信元アクセスノードから受信した前記パケットにおいて宛先アドレスとして設定されている前記宛先移動通信端末の第２のアドレスを、該宛先移動通信端末の第２のアドレスに関連付けられている前記宛先移動通信端末の第３のアドレスに変換するアドレス変換部と、変換された前記宛先アドレスに基づいて、前記モバイルノードに対して前記パケットをルーティングするルーティング部と、前記モバイルノードから送信されたアドレス割当要求に応じて、ネットワーク管理サーバに対して、前記宛先移動通信端末の第２のアドレス及び第３のアドレスを含むアドレス割当情報を送信するアドレス割当通知部とを具備することを要旨とする。
【００３６】
本発明の第６の特徴は、複数のアクセスノードとアンカーノードとモバイルノードとを具備する移動通信制御システムであって、発信元移動通信端末が無線接続している発信元アクセスノードが、前記モバイルノードに無線接続されている宛先移動通信端末の第１のアドレス及び第２のアドレスを関連付けて管理するアドレス管理部と、前記発信元移動通信端末から送信されたパケットにおいて宛先アドレスとして設定されている前記宛先移動通信端末の第１のアドレスを、該宛先移動通信端末の第１のアドレスに関連付けられている前記宛先移動通信端末の第２のアドレスに変換するアドレス変換部と、変換された前記宛先アドレスに基づいて、前記アンカーノードに対して、前記パケットをルーティングするルーティング部とを具備し、前記アンカーノードが、前記宛先移動通信端末の第２のアドレスと第３のアドレスと前記モバイルノードを特定するカプセル化情報とを関連付けて管理するアドレス管理部と、前記発信元アクセスノードから送信されたパケットにおいて宛先アドレスとして設定されている前記宛先移動通信端末の第２のアドレスを、該宛先移動通信端末の第２のアドレスに関連付けられている前記宛先移動通信端末の第３のアドレスに変換し、宛先アドレスが変換された該パケットを、該宛先移動通信端末の第２のアドレスに関連付けられている前記カプセル化情報でカプセル化するアドレス変換部と、前記カプセル化情報に基づいて、前記モバイルノードが接続している宛先アクセスノードに対して、前記パケットをルーティングするルーティング部とを具備し、前記宛先アクセスノードが、前記カプセル化情報を管理するアドレス管理部と、受信した前記パケットについてカプセル化解除し、該パケット内に前記宛先通信端末の第３のアドレスが含まれている場合、該パケットにカプセル化されていた前記カプセル化情報により特定される前記モバイルノードに対して、該パケットをルーティングするルーティング部とを具備し、前記モバイルノードが、前記宛先移動通信端末の第１のアドレス及び第３のアドレスを関連付けて管理するアドレス管理部と、受信した前記パケットにおいて宛先アドレスとして設定されている前記宛先移動通信端末の第３のアドレスを、該宛先移動通信端末の第３のアドレスに関連付けられている前記宛先移動通信端末の第１のアドレスに変換するアドレス変換部と、変換された前記宛先アドレスに基づいて、前記宛先移動通信端末に前記パケットを転送するパケット転送部とを具備することを要旨とする。
【００３７】
かかる発明によれば、発信元移動通信端末から宛先移動通信端末へのパケット転送に当たって、発信元アクセスノードのアドレス変換部が、パケット内に設定されている宛先移動通信端末の第１のアドレスを第２のアドレスに変換し、アンカーノードのアドレス変換部が、パケット内に設定されている宛先移動通信端末の第２のアドレスを第３のアドレスに変換し、かつ、カプセル化情報でカプセル化し、モバイルノードのアドレス変換部が、パケット内に設定されている宛先移動通信端末の第３のアドレスを第１のアドレスに変換するため、宛先アクセスノードと宛先移動通信端末との間の無線区間においてパケットのヘッダサイズが大きくなるという問題点を解決することができる。
【００３８】
また、かかる発明によれば、パケットは、モバイルノードのホームエージェントを介することなく、発信元アクセスノードとアンカーノードと宛先アクセスノードとモバイルノードを介して、発信元移動通信端末から宛先移動通信端末に転送されるため、ルート最適化が実現できないという問題点を解決することができる。
【００３９】
また、かかる発明によれば、発信元移動通信端末は、宛先アドレスとして、移動通信端末の第１のアドレス（ホームアドレス）を設定すればよいため、ロケーションプライバシーの問題点を解決することができる。
【００４０】
本発明の第６の特徴において、ネットワーク管理サーバを具備し、前記モバイルノードが、第１のアドレス及び第３のアドレスを管理していない新規移動通信端末から送信されたアドレス割当要求に応じて、前記ネットワーク管理サーバに対して、該新規移動通信端末についてのアドレス割当情報を送信するアドレス割当情報送信部を具備し、前記ネットワーク管理サーバが、受信した前記アドレス割当情報に応じて、前記新規移動通信端末の第１のアドレスと第２のアドレスと第３のアドレスと前記モバイルノードを特定するカプセル化情報とを関連付けて管理するアドレス管理部と、前記発信元アクセスノード及び前記アンカーノードに対して、前記新規移動通信端末についてのアドレス割当指示を送信するアドレス割当指示送信部とを具備し、前記発信元アクセスノードのアドレス管理部が、前記アドレス割当指示に応じて、前記新規移動通信端末の第１のアドレス及び第２のアドレスを関連付けて管理し、前記アンカーノードのアドレス管理部が、前記アドレス割当指示に応じて、前記新規移動通信端末の第２のアドレスと第３のアドレスと前記カプセル化情報とを関連付けて管理することが好ましい。
【００４１】
本発明の第６の特徴において、ネットワーク管理サーバを具備し、前記宛先アクセスノードは、前記モバイルノードから送信されたアドレス割当要求に応じて、前記ネットワーク管理サーバに対して、前記カプセル化情報を含むアドレス割当情報を送信するアドレス割当情報送信部を具備し、前記ネットワーク管理サーバが、受信した前記アドレス割当情報に応じて、前記モバイルノードに無線接続されている全ての移動通信端末の第１のアドレスと第２のアドレスと第３のアドレスと前記カプセル化情報とを関連付けて管理するアドレス管理部と、前記アンカーノードに対して、前記全ての移動通信端末についてのアドレス割当指示を送信するアドレス割当指示送信部とを具備し、前記アンカーノードのアドレス管理部が、前記アドレス割当指示に応じて、前記全ての移動通信端末の第２のアドレスと第３のアドレスと前記カプセル化情報とを関連付けて管理することが好ましい。
【００４２】
かかる発明によれば、宛先アクセスノードのアドレス管理部が、モバイルノードに無線接続されている全ての宛先移動通信端末の第２のアドレス及び第３のアドレスを管理していないため、当該モバイルノードが無線接続する宛先アクセスノードを変更した場合（すなわち、ハンドオーバ時）に、アドレス変換部の管理内容の変更を最小限とすることができ、ハンドオーバ遅延の最小化を図ることができる。
【００４３】
本発明の第７の特徴は、宛先アクセスノードに無線接続されているモバイルノードに無線接続されている移動通信端末に対して、アンカーノードを介してパケットを転送する移動通信ネットワークに設置されているネットワーク管理サーバであって、前記モバイルノードから受信した新規移動通信端末についてのアドレス割当情報に応じて、該新規移動通信端末の第１のアドレスと第２のアドレスと第３のアドレスと前記モバイルノードを特定するカプセル化情報とを関連付けて管理するアドレス管理部と、発信元移動通信端末が無線接続している発信元アクセスノードに対して、前記新規移動通信端末の第１のアドレス及び第２のアドレスを関連付けて管理するように指示するアドレス割当指示を送信し、前記アンカーノードに対して、前記新規移動通信端末の第２のアドレスと第３のアドレスと前記カプセル化情報とを関連付けて管理するように指示するするアドレス割当指示を送信するアドレス割当指示送信部とを具備することを要旨とする。
【００４４】
本発明の第８の特徴は、宛先アクセスノードに無線接続されているモバイルノードに無線接続されている移動通信端末に対して、アンカーノードを介してパケットを転送する移動通信ネットワークに設置されているネットワーク管理サーバであって、前記宛先アクセスノードから受信したアドレス割当情報に応じて、前記モバイルノードに無線接続されている全ての移動通信端末の第１のアドレスと第２のアドレスと第３のアドレスと前記モバイルノードを特定するカプセル化情報とを関連付けて管理するアドレス管理部と、前記アンカーノードに対して、前記全ての移動通信端末の第２のアドレスと第３のアドレスと前記カプセル化情報とを関連付けて管理するように指示するアドレス割当指示を送信するアドレス割当指示送信部とを具備することを要旨とする。
【００４５】
本発明の第９の特徴は、宛先アクセスノードに無線接続されているモバイルノードに無線接続されている宛先移動通信端末に対して、アンカーノードを介してパケットを転送する移動通信ネットワークに設置されているアクセスノードであって、前記モバイルノードを特定するカプセル化情報を管理するアドレス管理部と、前記アンカーノードから受信したパケット内に前記宛先移動通信端末のアドレスが含まれている場合、該パケットのカプセル化に用いられている前記カプセル化情報により特定される前記モバイルノードに対して、カプセル化解除した該パケットをルーティングするルーティング部とを具備することを要旨とする。
【００４６】
本発明の第１０の特徴は、宛先アクセスノードに無線接続されているモバイルノードに無線接続されている宛先移動通信端末に対して、アンカーノードを介してパケットを転送する移動通信ネットワークに設置されているアンカーノードであって、前記宛先移動通信端末の第２のアドレスと第３のアドレスと前記モバイルノードを特定するカプセル化情報とを関連付けて管理するアドレス管理部と、発信元移動通信端末が無線接続している発信元アクセスノードから送信されたパケットにおいて宛先アドレスとして設定されている前記宛先移動通信端末の第２のアドレスを、該宛先移動通信端末の第２のアドレスに関連付けられている前記宛先移動通信端末の第３のアドレスに変換し、宛先アドレスが変換された該パケットを、該宛先移動通信端末の第２のアドレスに関連付けられている前記カプセル化情報でカプセル化するアドレス変換部と、前記カプセル化情報に基づいて、前記宛先アクセスノードに対して、カプセル化された前記パケットをルーティングするルーティング部とを具備することを要旨とする。
【００４７】
本発明の第１１の特徴は、複数のアクセスノードとモバイルノードとを具備する移動通信制御システムであって、発信元移動通信端末が無線接続している発信元アクセスノードが、前記モバイルノードに無線接続されている宛先移動通信端末の第１のアドレス及び第２のアドレスを関連付けて管理するアドレス管理部と、前記発信元移動通信端末から送信されたパケットにおいて宛先アドレスとして設定されている前記宛先移動通信端末の第１のアドレスを、該宛先移動通信端末の第１のアドレスに関連付けられている前記宛先移動通信端末の第２のアドレスに変換するアドレス変換部と、変換された前記宛先アドレスに基づいて、前記モバイルノードに対して、前記パケットをルーティングするルーティング部とを具備し、前記モバイルノードが、前記宛先移動通信端末の第１のアドレス及び第２のアドレスを関連付けて管理するアドレス管理部と、受信した前記パケットにおいて宛先アドレスとして設定されている前記宛先移動通信端末の第２のアドレスを、該宛先移動通信端末の第２のアドレスに関連付けられている前記宛先移動通信端末の第１のアドレスに変換するアドレス変換部と、変換された前記宛先アドレスに基づいて、前記宛先移動通信端末に前記パケットを転送するパケット転送部とを具備することを要旨とする。
【００４８】
かかる発明によれば、発信元移動通信端末から宛先移動通信端末へのパケット転送に当たって、発信元アクセスノードのアドレス変換部が、パケット内に設定されている宛先移動通信端末の第１のアドレスを第２のアドレスに変換し、モバイルノードのアドレス変換部が、パケット内に設定されている宛先移動通信端末の第２のアドレスを第１のアドレスに変換するため、パケットのヘッダサイズが大きくなるという問題点を解決することができる。
【００４９】
また、かかる発明によれば、パケットは、モバイルノードのホームエージェントを介することなく、発信元アクセスノードと宛先アクセスノードとモバイルノードを介して、発信元移動通信端末から宛先移動通信端末に転送されるため、ルート最適化が実現できないという問題点を解決することができる。
【００５０】
また、かかる発明によれば、発信元移動通信端末は、宛先アドレスとして、移動通信端末の第１のアドレス（ホームアドレス）を設定すればよいため、ロケーションプライバシーの問題点を解決することができる。
【００５１】
また、かかる発明によれば、アドレス変換ポイントを最小限とすることによってパケット転送遅延を最小限とすることができる。
【００５２】
本発明の第１１の特徴において、前記モバイルノードが無線接続している宛先アクセスノードは、該モバイルノードから送信されたアドレス割当要求に応じて、該宛先アクセスノードに割り当てられているアドレス領域の中から、該モバイルノードに対して所定のアドレス領域を割り当てるアドレス割当部を具備し、前記モバイルノードのアドレス管理部が、第１アドレス及び第２のアドレスを管理していない新規移動通信端末から送信されたアドレス割当要求に応じて、前記所定のアドレス領域の中から該新規移動通信端末の第２のアドレスを割り当てることによって、該新規移動通信端末の第１のアドレスと第２のアドレスとを関連付けて管理することが好ましい。
【００５３】
また、かかる発明によれば、宛先アクセスノードに割り当てられているアドレス領域内の所定のアドレス領域（ネットワークアドレスに属するサブネットワークアドレス）から、宛先移動通信端末の第２のアドレスを選択することによって、移動通信ネットワークからの透過性をモバイルノードに与えることができる。
【００５４】
本発明の第１２の特徴は、宛先アクセスノードに無線接続されているモバイルノードに無線接続されている宛先移動通信端末に対して、パケットを転送する移動通信ネットワークに設置されているモバイルノードであって、前記宛先移動通信端末の第１のアドレス及び第２のアドレスを関連付けて管理するアドレス管理部と、発信元移動通信端末が無線接続している発信元アクセスノードから送信された前記パケットにおいて宛先アドレスとして設定されている前記移動通信端末の第２のアドレスを、該移動通信端末の第２のアドレスに関連付けられている前記移動通信端末の第１のアドレスに変換するアドレス変換部と、変換された前記宛先アドレスに基づいて、前記宛先移動通信端末に前記パケットを転送するパケット転送部とを具備し、前記アドレス管理部が、第１のアドレス及び第２のアドレスを管理してない新規移動通信端末から送信されたアドレス割当要求に応じて、前記宛先アクセスノードにより割り当てられている所定のアドレス領域の中から該新規移動通信端末の第２のアドレスを割り当てることによって、該新規移動通信端末の第１のアドレスと第２のアドレスとを関連付けて管理することを要旨とする。
【００５５】
本発明の第１３の特徴は、アクセスノードに無線接続されているモバイルノードに無線接続されている宛先移動通信端末に対して、パケットを転送する移動通信ネットワークに設置されているアクセスノードであって、前記モバイルノードから送信されたアドレス割当要求に応じて、該宛先アクセスノードに割り当てられているアドレス領域の中から、該モバイルノードに対して所定のアドレス領域を割り当てるアドレス割当部を具備することを要旨とする。
【００５６】
本発明の第１４の特徴は、宛先アクセスノードに無線接続されているモバイルノードに無線接続されている移動通信端末に対して、パケットを転送する移動通信ネットワークに設置されているネットワーク管理サーバであって、前記モバイルノードに無線接続されている複数の前記移動通信端末のアドレスをまとめて管理することを要旨とする。
【００５７】
【発明の実施の形態】
（本発明の第１の実施形態に係る移動通信制御システムの構成）
本発明の第１の実施形態に係る移動通信制御システムの構成について、図１乃至図５を参照して説明する。本実施形態に係る移動通信制御システムは、図１に示すように、アクセスノード（発信元アクセスノード）ＡＮ＃１に無線接続されているモバイル端末（発信元移動通信端末）ＭＴ＃１から、アクセスノード（宛先アクセスノード）ＡＮ＃２及びモバイルノードＭＮを介して、当該モバイルノードＭＮに無線接続されているモバイル端末（宛先移動通信端末）ＭＴ＃２に対して、パケットを転送するものである。
【００５８】
本実施形態に係る移動通信制御システムは、ネットワーク管理サーバＮＣＰＦ（Ｎｅｔｗｏｒｋ  Ｃｏｎｔｒｏｌ  Ｐｌａｔｆｏｒｍ）と、複数のアクセスノードＡＮ＃１及びＡＮ＃２と、モバイルノードＭＮとを具備している。本実施形態において、アクセスノードＡＮ及びモバイルノードＭＮは、後述の機能を具備しているものであれば、ルータ装置を含む任意の装置によって構成することができる。
【００５９】
ネットワーク管理サーバＮＣＰＦは、複数のアクセスノードＡＮ＃１及びＡＮ＃２とモバイルノードＭＮとに接続されており、コアネットワーク１内の全てのモバイル端末ＭＴのルーティングアドレスＲＡを管理するものである。
【００６０】
本実施形態において、ルーティングアドレスＲＡは、コアネットワーク１特有のアドレスであって、第１のルーティングアドレス（第２のアドレス）ＲＡ＃１と第２のルーティングアドレス（第３のアドレス）ＲＡ＃２とを含む。
【００６１】
ネットワーク管理サーバＮＣＰＦは、図２に示すように、ルーティングテーブル管理部１１と、位置情報管理部１２と、ルータ装置制御部１３とを具備している。
【００６２】
ルーティングテーブル管理部１１は、コアネットワーク１内の全てのモバイル端末ＭＴについて、ホームアドレス（第１のアドレス）ＨｏＡと、第１のルーティングアドレス（第２のアドレス）ＲＡ＃１と、第２のルーティングアドレス（第３のアドレス）ＲＡ＃２とを関連付けるルーティングテーブルを管理するアドレス管理部である。ルーティングテーブル管理部１１は、モバイルノードＭＮやアクセスノードＡＮからのアドレス割当情報に応じて、ルーティングテーブルを更新する。
【００６３】
位置情報管理部１２は、コアネットワーク１内の全てのモバイル端末ＭＴの位置情報を管理するものである。
【００６４】
ルータ装置制御部１３は、アクセスノードＡＮ＃１及びＡＮ＃２やモバイルノードＭＮから、所定の通信プロトコルを用いて、アドレス割当情報等の制御情報を受信するものである。
【００６５】
例えば、ルータ装置制御部１３は、モバイルネットワーク２を介してモバイルノードＭＮにアドレス割当要求を送信したモバイル端末（新規移動通信端末）ＭＴについてのアドレス割当指示を、アクセスノード（発信元アクセスノード）ＡＮ＃１及びアクセスノード（宛先アクセスノード）ＡＮ＃２に対して送信するアドレス指示送信部を構成する。
【００６６】
また、ルータ装置制御部１３は、モバイルノードＭＮのハンドオーバ時に、当該モバイルノードに無線接続されている全てのモバイル端末ＭＴに対するアドレス割当指示を、アクセスノード（発信元アクセスノード）ＡＮ＃１に対して送信するアドレス割当指示送信部を構成する。
【００６７】
アクセスノードＡＮは、図３に示すように、アドレス変換テーブル管理部３１と、位置情報管理部３２と、ネットワーク管理サーバＩ／Ｆ３３と、モバイルノードＩ／Ｆ３４と、モバイル端末Ｉ／Ｆ３５と、アドレス変換部３６と、ルーティング部３７と、アクセスノードＩ／Ｆ３８とを具備する。
【００６８】
アドレス変換テーブル管理部３１は、宛先モバイル端末ＭＴのアドレス変換に用いるためのアドレス変換テーブルを管理するものである。ここで、アドレス変換テーブル管理部３１は、ネットワーク管理サーバＮＣＰＦからのアドレス割当指示に応じて、アドレス変換テーブルを更新する。
【００６９】
本実施形態では、アクセスノード（発信元アクセスノード）ＡＮ＃１のアドレス変換テーブル管理部３１は、アドレス変換テーブルによって、モバイルノードＭＮに無線接続されているモバイル端末ＭＴ＃２（宛先移動通信端末）のホームアドレス（第１のアドレス）ＨｏＡ及び第１のルーティングアドレス（第２のアドレス）ＲＡ＃１を関連付けて管理するアドレス管理部を構成する。
【００７０】
また、アクセスノード（宛先アクセスノード）ＡＮ＃２のアドレス変換テーブル管理部３１は、アドレス変換テーブルによって、モバイル端末（宛先移動通信端末）ＭＴ＃２の第１のルーティングアドレス（第２のアドレス）ＲＡ＃１及び第２のルーティングアドレス（第３のアドレス）ＲＡ＃２を関連付けて管理するアドレス管理部を構成する。
【００７１】
また、アクセスノードＡＮ＃２のアドレス変換テーブル管理部３１は、当該アクセスノードＡＮ＃２に無線接続されているモバイルノードＭＮから送信されたアドレス割当要求に応じて、当該モバイルノードＭＮに無線接続されている全てのモバイル端末ＭＴに対して所定の第２のルーティングアドレスＲＡ＃２を割り当て、当該第２のルーティングアドレスＲＡ＃２を含むアドレス割当情報を、ネットワーク管理サーバＮＣＰＦに対して、送信するアドレス割当情報送信部を構成する。
【００７２】
ここで、アドレス変換テーブル管理部３１は、ネットワーク管理サーバＮＣＰＦからの指示に応じて、上述の全てのモバイル端末ＭＴに対して所定の第２のルーティングアドレスＲＡ＃２を割り当てるように構成されていてもよい。
【００７３】
位置情報管理部３２は、当該アクセスノードＡＮ＃１により管理されるセル内に在圏するモバイルノードＭＴ＃１の位置情報を管理するものである。
【００７４】
ネットワーク管理サーバＩ／Ｆ３３は、ネットワーク管理サーバＮＣＰＦとの通信インタフェースの機能を果たすものであり、例えば、ネットワーク管理サーバＮＣＰＦからのアドレス割当指示を受信する。
【００７５】
モバイルノードＩ／Ｆ３４は、当該アクセスノードＡＮに無線接続されているモバイルノードＭＮとの通信インタフェースの機能を果たすものであり、例えば、当該モバイルノードＭＮからのアドレス割当要求を受信する。
【００７６】
モバイル端末Ｉ／Ｆ３５は、当該アクセスノードＡＮに無線接続されているモバイル端末ＭＴとの通信インタフェースの機能を果たすものであり、例えば、当該モバイル端末ＭＴからの位置情報登録要求を受信する。
【００７７】
また、モバイル端末Ｉ／Ｆ３５は、無線通信回線を介して、モバイル端末ＭＴとの間でパケットを送受信する。
【００７８】
アドレス変換部３６は、アドレス変換テーブルを参照して、モバイルノードＩ／Ｆ３４、モバイル端末Ｉ／Ｆ３５又はアクセスノードＩ／Ｆ３８を介して受信したパケット内の宛先アドレスを変換するものである。
【００７９】
本実施形態では、アクセスノードＡＮ＃１のアドレス変換部３６は、モバイル端末（発信元移動通信端末）ＭＴ＃１から送信されたパケットにおいて宛先アドレスとして設定されているモバイル端末（宛先移動通信端末）ＭＴ＃２のホームアドレス（第１のアドレス）ＨｏＡを、モバイル端末（宛先移動通信端末）ＭＴ＃２のホームアドレス（第１のアドレス）ＨｏＡに関連付けられているモバイル端末（宛先移動通信端末）ＭＴ＃２の第１のルーティングアドレス（第２のアドレス）ＲＡ＃１に変換する。
【００８０】
また、アクセスノードＡＮ＃２のアドレス変換部３６は、コアネットワーク１２を介して受信したパケットにおいて宛先アドレスとして設定されているモバイル端末（宛先移動通信端末）ＭＴ＃２の第１のルーティングアドレス（第２のアドレス）ＲＡ＃１を、モバイル端末（宛先移動通信端末）ＭＴ＃２の第１のルーティングアドレス（第２のアドレス）ＲＡ＃１に関連付けられているモバイル端末（宛先移動通信端末）ＭＴ＃２の第２のルーティングアドレス（第３のアドレス）ＲＡ＃２に変換する。
【００８１】
ルーティング部３７は、アドレス変換された宛先アドレスに基づいて、当該パケットについてのルーティング処理を行うものである。アクセスノードＡＮ＃１のルーティング部３７は、アドレス変換された宛先アドレスに基づいて、モバイルノードＭＮが無線接続しているアクセスノードＡＮ＃２に対して、当該パケットをルーティングする。また、アクセスノードＡＮ＃２のルーティング部３７は、アドレス変換された宛先アドレスに基づいて、アドレス変換された宛先アドレスに基づいて、モバイルノードＭＮに対して、当該パケットをルーティングする。
【００８２】
アクセスノードＩ／Ｆ３８は、コアネットワーク内の他のアクセスノードＡＮとの通信インタフェースとしての機能を果たすものであり、例えば、他のアクセスノードＡＮとの間でパケットの送受信をする。
【００８３】
モバイルノードＭＮは、図４に示すように、アドレス変換テーブル管理部４１と、位置情報管理部４２と、ネットワーク管理サーバＩ／Ｆ４３と、モバイル端末Ｉ／Ｆ４５と、アドレス変換部４６と、ルーティング部４７と、アクセスノードＩ／Ｆ４８とを具備する。
【００８４】
基本的に、モバイルノードＭＮの各部の機能は、アクセスノードの各部の機能と同一であるので、以下、相違点についてのみ説明する。
【００８５】
本実施形態では、アドレス変換テーブル管理部４１は、モバイルネットワーク２に在圏するモバイル端末（宛先移動通信端末）ＭＴ＃２のホームアドレス（第１のアドレス）ＨｏＡ及び第２のルーティングアドレス（第３のアドレス）ＲＡ＃２を関連付けて管理するアドレス管理部を構成する。
【００８６】
アドレス変換テーブル管理部４１は、位置情報管理部４２により受信された新規モバイル端末ＭＴについてのアドレス割当要求に応じて、当該新規モバイル端末ＭＴに対して所定の第２のルーティングアドレスＲＡ＃２を割り当て、当該第２のルーティングアドレスＲＡ＃２を含むアドレス割当情報を、ネットワーク管理サーバＩ／Ｆ４３を介して、ネットワーク管理サーバＮＣＰＦに対して送信するアドレス割当情報送信部を構成する。
【００８７】
ここで、アドレス変換テーブル管理部４１は、ネットワーク管理サーバＮＣＰＦからの指示に応じて、上述の新規モバイル端末ＭＴに対して所定の第２のルーティングアドレスＲＡ＃２を割り当てるように構成されていてもよい。
【００８８】
また、アドレス変換テーブル管理部４１は、アクセスノードＩ／Ｆ４８を介して、無線接続するアクセスノードＡＮの変更を検出した場合、すなわち、ハンドオーバを検出した場合、アクセスノードＩ／Ｆ４８を介して、移動先アクセスノードＡＮに対して、当該モバイルノードＭＮに無線接続されている全てのモバイル端末ＭＴ、すなわち、アドレス変換テーブルにおいて管理されている全てのモバイル端末ＭＴについての第２のルーティングアドレスＲＡ＃２の割当要求を送信する。
【００８９】
位置情報管理部４２は、モバイルネットワーク２内に新しく入ってきた新規モバイル端末ＭＴ、すなわち、アドレス変換テーブルによってホームアドレス（第１のアドレス）ＨｏＡ及び第２のルーティングアドレス（第３のアドレス）ＲＡ＃２が管理されていない新規モバイル端末（新規移動通信端末）ＭＴからのアドレス割当要求を受信する。具体的には、位置情報管理部４２は、モバイルネットワーク２内に到達可能な報知情報を送信することによって、上述のアドレス割当要求を取得する。
【００９０】
アドレス変換部４６は、アクセスノードＡＮ＃２から受信したパケットにおいて宛先アドレスとして設定されているモバイル端末（宛先移動通信端末）ＭＴ＃２の第２のルーティングアドレス（第３のアドレス）ＲＡ＃２を、モバイル端末（宛先移動通信端末）ＭＴ＃２の第２のルーティングアドレス（第３のアドレス）ＲＡ＃２に関連付けられているモバイル端末（宛先移動通信端末）ＭＴ＃２のホームアドレス（第１のアドレス）ＨｏＡに変換する。
【００９１】
ルーティング部４７は、アドレス変換された宛先アドレスに基づいて、モバイル端末Ｉ／Ｆ４５を介して、モバイル端末（宛先移動通信端末）ＭＴ＃２にパケットを転送するパケット転送部を構成する。
【００９２】
モバイル端末ＭＴは、図５に示すように、通信Ｉ／Ｆ５１と、位置情報管理部５２と、通信部５３とを具備する。
【００９３】
通信Ｉ／Ｆ５１は、無線通信回線を介して、当該モバイル端末ＭＴが在圏するアクセスノードＡＮ又はモバイルノードＭＮとの間でパケットの送受信をするものである。位置情報管理部５２は、当該モバイル端末ＭＴについての位置情報登録処理を行うものである。通信部５３は、ユーザによる操作に応じてパケットを生成するものである
（本実施形態に係る移動通信制御システムの動作）
本実施形態に係る移動通信制御システムの動作を、図６乃至図８を参照にして説明する。
【００９４】
第１に、図６を参照して、本実施形態に係る移動通信制御システムにおけるパケット転送動作を説明する。
【００９５】
図６に示すように、ステップ６０１において、モバイル端末（発信元移動通信端末）ＭＴ＃１が、宛先アドレスとしてモバイル端末（宛先移動通信端末）ＭＴ＃２のホームアドレス（第１のアドレス）ＨｏＡ「２．２」を設定したパケットａを、無線通信回線を介して、アクセスノード（発信元アクセスノード）ＡＮ＃１に送信する。ここで、モバイル端末ＭＴ＃２のホームアドレスＨｏＡは、固定のアドレスであって、モバイル端末ＭＴ＃２のロケーション情報を含まないアドレスである。
【００９６】
ステップ６０２において、アクセスノードＡＮ＃１が、アドレス変換テーブルを参照して、モバイル端末ＭＴ＃２のホームアドレスＨｏＡ「２．２」を、モバイル端末ＭＴ＃２の第１のルーティングアドレス（第２のアドレス）ＲＡ＃１「ｂ．３」に変換する。
【００９７】
ステップ６０３において、アクセスノードＡＮ＃１が、宛先アドレス内にモバイル端末ＭＴ＃２の第１のルーティングアドレスＲＡ＃１「ｂ．３」を含むパケットｂを、コアネットワーク１を介して、アクセスノードＡＮ＃２にルーティングする。
【００９８】
ステップ６０４において、アクセスノードＡＮ＃２が、アドレス変換テーブルを参照して、モバイル端末ＭＴ＃２の第１のルーティングアドレスＲＡ＃１「ｂ．３」を、モバイル端末ＭＴ＃２の第２のルーティングアドレス（第３のアドレス）ＲＡ＃２「ｄ．３」に変換する。
【００９９】
ステップ６０５において、アクセスノードＡＮ＃２が、宛先アドレス内にモバイル端末ＭＴ＃２の第２のルーティングアドレスＲＡ＃２「ｄ．３」を含むパケットｃを、モバイルノードＭＮにルーティングする。
【０１００】
ステップ６０６において、モバイルノードＭＮが、アドレス変換テーブルを参照して、モバイル端末ＭＴ＃２の第２のルーティングアドレスＲＡ＃２「ｄ．３」を、モバイル端末ＭＴ＃２のホームアドレスＨｏＡ「２．２」に変換する。
【０１０１】
ステップ６０７において、モバイルノードＭＮが、宛先アドレス内にモバイル端末ＭＴ＃２のホームアドレスＨｏＡ「２．２」を含むパケットｄを、モバイルネットワーク２を介して、モバイル端末ＭＴ＃２に転送する。
【０１０２】
第２に、図７を参照して、本実施形態に係る移動通信制御システムにおけるアドレス割当動作を説明する。
【０１０３】
ステップ７０１において、モバイルノードＭＮが、モバイルネットワーク２に到達可能な報知情報を送信する。ステップ７０２において、モバイル端末ＭＴ＃２が、受信した報知情報によって、現在無線接続していないモバイルノードＭＮにより管理されているモバイルネットワーク２に入ったことを検出する。
【０１０４】
ステップ７０３において、モバイル端末ＭＴ＃２が、上述の報知情報により識別されるモバイルノードＭＮに対して、アドレス割当要求を送信する。ステップ７０４において、モバイルノードＭＮが、受信したアドレス割当要求に応じて、モバイル端末ＭＴ＃２に対して、所定の第２のルーティングアドレスＲＡ＃２を割り当てる。
【０１０５】
モバイルノードＭＮは、モバイル端末ＭＴ＃２のホームアドレスＨｏＡ及び第２のルーティングアドレスＲＡ＃２を含むアドレス割当情報を、アクセスノードＡＮ＃２に送信する（ステップ７０５ａ）と共に、ネットワーク管理サーバＮＣＰＦに送信する（ステップ７０５ｂ）。
【０１０６】
アクセスノードＡＮ＃２が、ステップ７０６において、受信したアドレス割当情報に応じて、モバイル端末ＭＴ＃２に対して、所定の第１のルーティングアドレスＲＡ＃１を割り当て、ステップ７０８において、モバイル端末ＭＴ＃２の第１のルーティングアドレスＲＡ＃１と第２のルーティングアドレスＲＡ＃２とを含むアドレス割当情報を、ネットワーク管理サーバＮＣＰＦに送信する。
【０１０７】
ネットワーク管理サーバＮＣＰＦは、ステップ７０７において、モバイルノードＭＮからのアドレス割当情報を受信し、ステップ７０９において、アクセスノードＡＮ＃２からのアドレス割当情報を受信する。そして、ネットワーク管理サーバＮＣＰＦは、ルーティングテーブルに、これらのアドレス割当情報に含まれるモバイル端末ＭＴ＃２のホームアドレスＨｏＡと第１のルーティングアドレスＲＡ＃１と第２のルーティングアドレスＲＡ＃２を登録する。すなわち、ネットワーク管理サーバＮＣＰＦは、受信したアドレス割当情報に応じて、ルーティングテーブルを更新する。
【０１０８】
ステップ７１０において、ネットワーク管理サーバＮＣＰＦは、モバイルノードＭＮとアクセスノードＡＮ＃１及びＡＮ＃２とに対して、アドレス変換テーブルを更新するように指示するアドレス割当指示を送信する。
【０１０９】
ステップ７１１において、モバイルノードＭＮが、モバイル端末ＭＴ＃２に対して、当該モバイル端末ＭＴ＃２についてのアドレス割当が完了した旨を示すアドレス割当応答を送信する。
【０１１０】
第３に、図８を参照して、本実施形態に係る移動通信制御システムにおける他のアドレス割当動作を説明する。
【０１１１】
ステップ８０１において、モバイルノードＭＮが、現在無線接続しているアクセスノード（第１のアクセスノード）ＡＮ＃２と異なるアクセスノード（第２のアクセスノード）ＡＮ＃３により管理されるエリアに入ったことを検出する。
【０１１２】
ステップ８０２において、モバイルノードＭＮが、当該モバイルノードＭＮに無線接続されている全てのモバイル端末ＭＴに対するアドレス割当要求を、アクセスノードＡＮ＃３に送信する。ここで、アドレス割当要求には、当該全てのモバイル端末ＭＴの第１のルーティングアドレスＲＡ＃１が含まれていることが好ましい。
【０１１３】
ステップ８０３において、アクセスノードＡＮ＃３が、受信したアドレス割当要求に応じて、モバイルノードＭＮに無線接続されている全てのモバイル端末ＭＴに対して、所定の第１のルーティングアドレスＲＡ＃１を割り当てる。
【０１１４】
ステップ８０４において、アクセスノードＡＮ＃３が、全てのモバイル端末ＭＴの第１のルーティングアドレスＲＡ＃１及び第２のルーティングアドレスＲＡ＃２を含むアドレス割当情報を、ネットワーク管理サーバＮＣＰＦに送信する。
【０１１５】
ステップ８０５において、ネットワーク管理サーバＮＣＰＦが、受信したアドレス割当情報に含まれるモバイル端末ＭＴの第１のルーティングアドレスＲＡ＃１と第２のルーティングアドレスＲＡ＃２とに基づいて、ルーティングテーブルを更新する。
【０１１６】
ステップ８０６において、ネットワーク管理サーバＮＣＰＦが、アドレス割当指示をアクセスノードＡＮ＃３に送信する。アクセスノードＡＮ＃３は、受信したアドレス割当指示に応じて、アドレス変換テーブルを更新する。
【０１１７】
アクセスノードＡＮ＃３が、ステップ８０７において、上述の全てのモバイル端末ＭＴに対するアドレス割当が完了した旨を示すアドレス割当応答をモバイルノードＭＮに送信すると共に、ステップ８０８において、モバイルノードＭＮにアドレス割当応答を送信した旨の通知を、ネットワーク管理サーバＮＣＰＦに対して行う。
【０１１８】
ステップ８０９において、ネットワーク管理サーバＮＣＰＦが、アクセスノードＡＮ＃２に対して、アドレス変換テーブルから、モバイルノードＭＮに係るアドレスを消去するように指示するアドレス消去指示を送信する。
【０１１９】
アクセスノードＡＮ＃２は、ステップ８１０において、受信したアドレス消去指示に応じて、アドレス変換テーブルを更新し、ステップ８１１において、更新が完了した旨を通知するアドレス消去応答を、ネットワーク管理サーバＮＣＰＦに送信する。
【０１２０】
ステップ８１２において、ネットワーク管理サーバＮＣＰＦが、アクセスノードＡＮ＃１に対して、モバイルノードＭＮのホームアドレスＨｏＡ及び第１のルーティング情報ＲＡ＃１を含むアドレス割当指示を送信する。
【０１２１】
アクセスノードＡＮ＃１は、ステップ８１３において、受信したアドレス割当指示に応じて、アドレス変換テーブルを更新し、ステップ８１４において、更新が完了した旨を通知するアドレス更新応答を、ネットワーク管理サーバＮＣＰＦに送信する。
【０１２２】
（本実施形態に係る移動通信制御システムの作用・効果）
本実施形態に係る移動通信制御システムによれば、モバイル端末ＭＴ＃１からモバイル端末ＭＴ＃２へのパケット転送に当たって、アクセスノードＡＮ＃１のアドレス変換部３６が、パケット内に設定されているモバイル端末ＭＴ＃２のホームアドレスＨｏＡを第１のルーティングアドレスＲＡ＃１に変換し、アクセスノードＡＮ＃２のアドレス変換部３６が、パケット内に設定されているモバイル端末ＭＴ＃２の第１のルーティングアドレスＲＡ＃１を第２のルーティングアドレスＲＡ＃２に変換し、モバイルノードＭＮのアドレス変換部４６が、パケット内に設定されているモバイル端末ＭＴ＃２の第２のルーティングアドレスＲＡ＃２をホームアドレスＨｏＡに変換するため、パケットのヘッダサイズが大きくなるという問題点を解決することができる。
【０１２３】
また、本実施形態に係る移動通信制御システムによれば、パケットは、モバイルノードＭＮのホームエージェントＨＡを介することなく、アクセスノードＡＮ＃１とアクセスノードＡＮ＃２とモバイルノードＭＮを介して、モバイル端末ＭＴ＃１からモバイル端末ＭＴ＃２に転送されるため、ルート最適化が実現できないという問題点を解決することができる。
【０１２４】
また、本実施形態に係る移動通信制御システムによれば、モバイル端末ＭＴ＃１は、宛先アドレスとして、モバイル端末ＭＴ＃２のホームアドレスＨｏＡを設定すればよいため、ロケーションプライバシーの問題点を解決することができる。
【０１２５】
（本発明の第２の実施形態に係る移動通信制御システム）
図９乃至図１４を参照して、本発明の第２の実施形態に係る移動通信制御システムについて説明する。以下、上述の第１の実施形態に係る移動通信制御システムとの相違点を主として説明する。
【０１２６】
図９に示すように、本実施形態に係る移動通信制御システムは、アンカーノードＡＮＮを具備する点で、上述の第１の実施形態に係る移動通信制御システムの構成と相違している。
【０１２７】
アンカーノードＡＮＮは、図１０に示すように、アドレス変換テーブル管理部６１と、ネットワーク管理サーバＩ／Ｆ６３と、アドレス変換部６６と、ルーティング部６７と、アクセスノードＩ／Ｆ６８とを具備している。基本的に、アンカーノードＡＮＮの各部の機能は、上述のアクセスノードＡＮの各部の機能と同一であるため、相違する点についてのみ説明する。
【０１２８】
アドレス変換テーブル管理部６１は、モバイル端末（宛先移動通信端末）ＭＴ＃２の第１のルーティングアドレス（第２のアドレス）ＲＡ＃１と第２のルーティングアドレス（第３のアドレス）ＲＡ＃２とモバイルノードＭＮを特定するカプセル化情報とを関連付けて管理するアドレス管理部を構成する。
【０１２９】
具体的には、アドレス変換テーブル管理部６１は、モバイル端末ＭＴ＃２の第１のルーティングアドレスＲＡ＃１と第２のルーティングアドレスＲＡ＃２とを関連付けるアドレス管理テーブルを管理する。
【０１３０】
また、アドレス変換テーブル管理部６１は、モバイルノードＭＮを特定するカプセル化情報とモバイル端末ＭＴ＃２の第２のルーティングアドレスＲＡ＃２のアドレス領域とを関連付けるカプセル化テーブルを管理する。
【０１３１】
アドレス変換部６６は、アクセスノード（発信元アクセスノード）ＡＮ＃１から送信されたパケットにおいて宛先アドレスとして設定されているモバイル端末（宛先移動通信端末）ＭＴ＃２の第１のルーティングアドレス（第２のアドレス）ＲＡ＃１を、モバイル端末（宛先移動通信端末）ＭＴ＃２の第１のルーティングアドレス（第２のアドレス）ＲＡ＃１に関連付けられているモバイル端末（宛先移動通信端末）ＭＴ＃２の第２のルーティングアドレス（第３のアドレス）ＲＡ＃２に変換する。
【０１３２】
また、アドレス変換部６６は、宛先アドレスが変換された該パケットを、カプセル化テーブルを参照して、当該モバイル端末ＭＴ＃２の第２のルーティングアドレスのアドレス領域に関連付けられているカプセル化情報（例えば、モバイルノードＭＮの第２のルーティングアドレスＲＡ＃２）でカプセル化する。
【０１３３】
ここで、カプセル化処理は、ＩＰｖ６  Ｒｏｕｔｉｎｇ  Ｈｅａｄｅｒ  Ｏｐｔｉｏｎ技術や各種のＴｕｎｎｅｌｉｎｇ技術によって実現され得る。
【０１３４】
ルーティング部６７は、モバイルノードＭＮを特定するカプセル化情報に基づいて、モバイルノードＭＮが接続しているアクセスノード（宛先アクセスノード）ＡＮ＃２に対して、パケットをルーティングする。
【０１３５】
また、本実施形態に係る移動通信制御システムは、アクセスノードＡＮ＃２のアドレス変換テーブル管理部３１及びアドレス変換部３６の構成において、上述の第１の実施形態に係る移動通信制御システムと相違している。
【０１３６】
アクセスノードＡＮ＃２のアドレス変換テーブル管理部３１は、当該アクセスノード（宛先アクセスノード）ＡＮ＃２に接続されているモバイルノードＭＮを特定するカプセル化情報（例えば、モバイルノードＭＮの第２のルーティングアドレスＲＡ＃２）とモバイルノードＭＮのホームアドレスＨｏＡとを関連付けるアドレス変換テーブルを管理するアドレス管理部を構成する。
【０１３７】
また、アドレス変換部３６は、コアネットワーク１を介して受信したパケット内に、モバイル端末（宛先通信端末）ＭＴ＃２の第２のルーティングアドレス（第３のアドレス）ＲＡ＃２が含まれているか否かについて判断する。
【０１３８】
かかる判断結果が肯定的である場合、当該パケットは、当該モバイル端末ＭＴ＃２宛てのパケットであると判断される。かかる場合、アドレス変換部３６によってカプセル化解除されたパケットは、ルーティング部３７によって、当該パケットにカプセル化されていたカプセル化情報により特定されるモバイルノードＭＮに対してルーティングされる。
【０１３９】
一方、かかる判断結果が否定的である場合、当該パケットは、当該パケットのカプセル化されていたカプセル化情報により特定されるモバイルノード宛てのパケットであると判断される。かかる場合、アドレス変換部３６は、カプセル化されていたカプセル化情報をモバイルノードＭＮのホームアドレスＨｏＡに変換し、アドレス変換されたパケットは、ルーティング部３７によって、モバイルノードＭＮに対してルーティングされる。
【０１４０】
また、本実施形態に係る移動通信制御システムは、ネットワーク管理サーバＮＣＰＦのルーティングテーブルの構成において、上述の第１の実施形態に係る移動通信制御システムと相違している。
【０１４１】
具体的には、図１１に示すように、ネットワーク管理サーバＮＣＰＦのルーティングテーブルは、コアネットワーク１におけるモバイル端末ＭＴ及びモバイルノードＭＮのホームアドレスＨｏＡと、モバイル端末ＭＴ及びモバイルノードＭＮの第１のルーティングアドレスＲＡ＃１と、モバイル端末ＭＴの第２のルーティングアドレスＲＡ＃２とを関連付けて管理している。
【０１４２】
次に、本実施形態に係る移動通信制御システムの動作を、図１２乃至図１４を参照にして説明する。
【０１４３】
第１に、図１２を参照して、本実施形態に係る移動通信制御システムにおけるパケット転送動作を説明する。ステップ１１０１及び１１０３の動作は、上述の図６におけるステップ６０１及び６０２の動作と同じである。
【０１４４】
図１２に示すように、ステップ１１０３において、アクセスノードＡＮ＃１が、宛先アドレス内にモバイル端末ＭＴ＃２の第１のルーティングアドレスＲＡ＃１「ｂ．３」を含むパケットｂを、コアネットワーク１を介して、アンカーノードＡＮＮにルーティングする。
【０１４５】
ステップ１１０４において、アンカーノードＡＮＮが、アドレス変換テーブルを参照して、モバイル端末ＭＴ＃２の第１のルーティングアドレスＲＡ＃１「ｂ．３」を、モバイル端末ＭＴ＃２の第２のルーティングアドレスＲＡ＃２「ｄ．３」に変換する。そして、アンカーノードＡＮＮが、アドレス変換テーブル及びカプセル化テーブルを参照して、カプセル化情報「ｃ．１」で、当該パケットをカプセル化する。
【０１４６】
ステップ１１０５において、アンカーノードＡＮＮが、カプセル化情報「ｃ．１」でカプセル化されており、宛先アドレス内にモバイル端末ＭＴ＃２の第２のルーティングアドレスＲＡ＃２「ｄ．３」を含むパケットｃを、アクセスノードＡＮ＃２にルーティングする。
【０１４７】
ステップ１１０６において、アクセスノードＡＮ＃２が、受信したパケット内に、モバイル端末ＭＴ＃２の第２のルーティングアドレスＲＡ＃２が含まれていると判断して、当該パケットについてカプセル化解除を行う。ステップ１１０７において、アクセスノードＡＮ＃２が、宛先アドレス内にモバイル端末ＭＴ＃２の第２のルーティングアドレスＲＡ＃２「ｄ．３」を含むパケットｄを、モバイルノードＭＮにルーティングする。
【０１４８】
以下、ステップ１１０８及び１１０９は、上述の図６におけるステップ６０６及び６０７の動作と同じである。
【０１４９】
第２に、図１３を参照して、本実施形態に係る移動通信制御システムにおけるアドレス割当動作を説明する。本実施形態に係る移動通信制御システムにおけるアドレス割当動作は、図６及び図１３に示すように、アクセスノードＡＮ＃２が、アンカーノードＡＮＮに変更された点を除いて、上述の第１の実施形態に係る移動通信制御システムにおけるアドレス割当動作と同じである。
【０１５０】
第３に、図１４を参照して、本実施形態に係る移動通信制御システムにおける他のアドレス割当動作を説明する。ステップ１３０１及び１３０２の動作は、上述の図８におけるステップ８０１及び８０２の動作と同じである。
【０１５１】
ステップ１４０３において、モバイルノードＭＮの移動先のアクセスノードＡＮ＃３が、モバイルノードＭＮから受信したアドレス割当要求に応じて、カプセル化情報「ｅ．１」を割り当てる。
【０１５２】
ステップ１４０４において、アクセスノードＡＮ＃３が、カプセル化情報及びモバイルノードのホームアドレスＨｏＡ「３．３」を含むアドレス割当情報を、ネットワーク管理サーバＮＣＰＦに送信する。
【０１５３】
ステップ１４０５において、ネットワーク管理サーバＮＣＰＦが、受信したアドレス割当情報に含まれるカプセル化情報及びモバイルノードのホームアドレスＨｏＡに基づいて、ルーティングテーブルを更新する。具体的には、ネットワーク管理サーバＮＣＰＦが、図１１に示すルーティングテーブルにおいて、「ｃ．１」を「ｅ．１」に変更する。
【０１５４】
ステップ１４０６において、ネットワーク管理サーバＮＣＰＦが、アドレス割当指示をアンカーノードＡＮＮに送信する。ステップ１４０７において、アンカーノードＡＮＮは、受信したアドレス割当指示に応じて、カプセル化テーブルを更新する。具体的には、アンカーノードＡＮＮは、図９に示すように、カプセル化テーブルにおいて、カプセル化情報を「ｃ．１」から「ｅ．１」に変更する。ステップ１４０８において、アンカーノードＡＮＮが、アドレス更新応答をネットワーク管理サーバＮＣＰＦに送信する。
【０１５５】
以下、ステップ１４０９乃至１４１４の動作は、上述の図８におけるステップ８０６乃至８１４の動作と同じである。
【０１５６】
本実施形態に係る移動通信制御システムによれば、モバイル端末ＭＴ＃１からモバイル端末ＭＴ＃２へのパケット転送に当たって、アクセスノードＡＮ＃１のアドレス変換部３６が、パケット内に設定されているモバイル端末ＭＴ＃２のホームアドレスＨｏＡを第１のルーティングアドレスＲＡ＃１に変換し、アンカーノードＡＮＮのアドレス変換部６６が、パケット内に設定されているモバイル端末ＭＴ＃２の第１のルーティングアドレスＲＡ＃１を第２のルーティングアドレスＲＡ＃２に変換し、かつ、カプセル化テーブルでカプセル化し、モバイルノードＭＮのアドレス変換部４６が、パケット内に設定されているモバイル端末ＭＴ＃２の第２のルーティングアドレスＲＡ＃２をホームアドレスＨｏＡに変換するため、アクセスノードＡＮ＃２と宛先移動通信端末ＭＴ＃２との間の無線区間においてパケットのヘッダサイズが大きくなるという問題点を解決することができる。
【０１５７】
また、本実施形態に係る移動通信制御システムによれば、パケットは、モバイルノードＭＮのホームエージェントＨＡを介することなく、アクセスノードＡＮ＃１とアンカーノードＡＮＮとアクセスノードＡＮ＃２とモバイルノードＭＮを介して、モバイル端末ＭＴ＃１からモバイル端末ＭＴ＃２に転送されるため、ルート最適化が実現できないという問題点を解決することができる。
【０１５８】
また、本実施形態に係る移動通信制御システムによれば、モバイル端末ＭＴ＃１は、宛先アドレスとして、モバイル端末ＭＴ＃２のホームアドレスＨｏＡを設定すればよいため、ロケーションプライバシーの問題点を解決することができる。
【０１５９】
かかる発明によれば、アクセスノードＡＮ＃２のアドレス管理部３１が、モバイルノードＭＮに無線接続されている全てのモバイル端末ＭＴの第１のルーティングアドレスＲＡ＃１及び第２のルーティングアドレスＲＡ＃２を管理していないため、当該モバイルノードＭＮが無線接続するアクセスノードＡＮを変更した場合（すなわち、ハンドオーバ時）に、アドレス変換部３６の管理内容の変更を最小限とすることができ、ハンドオーバ遅延の最小化を図ることができる。
【０１６０】
（本発明の第３の実施形態に係る移動通信制御システム）
図１５及び図１６を参照して、本発明の第３の実施形態に係る移動通信制御システムについて説明する。以下、上述の第１の実施形態に係る移動通信制御システムとの相違点を主として説明する。
【０１６１】
図１５に示すように、本実施形態に係る移動通信制御システムは、アクセスノードＡＮ＃２が、当該アクセスノードＡＮ＃２に割り当てられているアドレス領域の中から、モバイルノードＭＮに対して所定のアドレス領域を割り当てるアドレス割当部を具備し、モバイルノードＭＮのアドレス管理部４６が、ホームアドレス（第１のアドレス）ＨｏＡ及びルーティングアドレス（第２のアドレス）ＲＡを管理していない新規モバイル端末ＭＴから送信されたアドレス割当要求に応じて、所定のアドレス領域の中から新規モバイル端末ＭＴのルーティングアドレス（第２のアドレス）ＲＡを割り当てることによって、新規モバイル端末ＭＴのホームアドレス（第１のアドレス）ＨｏＡ及びルーティングアドレス（第２のアドレス）ＲＡを関連付けて管理する点で、上述の第１の実施形態に係る移動通信制御システムの構成と相違している。
【０１６２】
また、これに付随して、本実施形態に係る移動通信制御システムは、アクセスノードＡＮ＃２によってアドレス変換が行われない点、及び、ネットワーク管理サーバＮＣＰＦのルーティングテーブルの構成において、上述の第１の実施形態に係る移動通信制御システムの構成と相違している。
【０１６３】
ネットワーク管理サーバＮＣＰＦのルーティングテーブルは、図１５に示すように、モバイル端末ＭＴのホームアドレス（第１のアドレス）ＨｏＡ及びルーティングアドレス（第２のアドレス）ＲＡを関連付けて管理する。
【０１６４】
図１５において、モバイルノードＭＮのアドレス変換テーブル内の「ｂ．１」乃至「ｂ．３」が、アクセスノードＡＮ＃２から割り当てられた所定のアドレス領域の中から選択されたモバイル端末ＭＴのルーティングアドレスである。
【０１６５】
次に、図１６を参照して、本実施形態に係る移動通信制御システムにおける他アドレス割当動作を説明する。
【０１６６】
ステップ１６０１において、モバイルノードＭＮが、無線接続しているアクセスノードＡＮ＃２に対して、所定のアドレス領域を示すサブネットワークアドレス（Ｐｒｅｆｉｘ）の割り当てを要求する。
【０１６７】
アクセスノードＡＮ＃２が、ステップ１６０２において、自身に割り当てられているアドレス領域の中から、所定のアドレス領域を選択し、ステップ１６０３において、当該所定のアドレス領域を示すサブネットワークアドレス（Ｐｒｅｆｉｘ）を、モバイルノードＭＮに通知する。
【０１６８】
ステップ１６０４において、モバイルノードＭＮが、上述の所定のアドレス領域を示すサブネットワークアドレス（Ｐｒｅｆｉｘ）を受信して管理する。
【０１６９】
ステップ１６１１において、モバイルノードＭＮによって管理されているモバイルネットワーク２に新たに入ってきたモバイル端末ＭＴ＃２が、当該モバイルノードＭＮに対して、アドレス割当要求を送信する。
【０１７０】
ステップ１６１２において、モバイルノードＭＮが、上述の所定のアドレス領域の中から、モバイル端末ＭＴ＃２に対するルーティングアドレスＲＡ「ｂ．３」を割り当てる。ステップ１６１３において、モバイルノードＭＮが、当該ルーティングアドレスＲＡ「ｂ．３」を含むアドレス割当情報を、ネットワーク管理サーバＮＣＰＦに送信する。
【０１７１】
ステップ１６１４において、ネットワーク管理サーバＮＣＰＦが、受信したアドレス割当情報に応じて、ルーティングテーブルを更新する。以下、ステップ１６１５及び１６１６の動作は、上述の図７におけるステップ７１０及び７１１の動作と同じである。
【０１７２】
本実施形態に係る移動通信制御システムにおけるパケット転送動作について、簡単に説明する。
【０１７３】
図１６に示すように、ステップ１６２１において、モバイル端末（発信元移動通信端末）ＭＴ＃１が、宛先アドレスとしてモバイル端末（宛先移動通信端末）ＭＴ＃２のホームアドレス（第１のアドレス）ＨｏＡ「２．２」を設定したパケットａを、無線通信回線を介して、アクセスノード（発信元アクセスノード）ＡＮ＃１に送信する。
【０１７４】
ステップ１６２２において、アクセスノードＡＮ＃１が、アドレス変換テーブルを参照して、モバイル端末ＭＴ＃２のホームアドレスＨｏＡ「２．２」を、モバイル端末ＭＴ＃２のルーティングアドレス（第２のアドレス）ＲＡ「ｂ．３」に変換する。
【０１７５】
ステップ１６２３において、アクセスノードＡＮ＃１が、宛先アドレス内にモバイル端末ＭＴ＃２のルーティングアドレスＲＡ「ｂ．３」を含むパケットｂを、アクセスノードＡＮ＃２を介して、モバイルノードＭＮにルーティングする。
【０１７６】
ステップ１６２４において、モバイルノードＭＮが、アドレス変換テーブルを参照して、モバイル端末ＭＴ＃２のルーティングアドレスＲＡ「ｄ．３」を、モバイル端末ＭＴ＃２のホームアドレスＨｏＡ「２．２」に変換する。
【０１７７】
ステップ１６２５において、モバイルノードＭＮが、宛先アドレス内にモバイル端末ＭＴ＃２のホームアドレスＨｏＡ「２．２」を含むパケットｃを、モバイルネットワーク２を介して、モバイル端末ＭＴ＃２に転送する。
【０１７８】
なお、本発明は、本実施形態に係る移動通信制御システムに適用されるだけはなく、アクセスノード配下に、複数のモバイル端末と無線接続可能なモバイルノードを具備する任意の移動通信制御システム（例えば、モバイルＩＰシステム等）において適用可能である。
【０１７９】
（本発明の第４の実施形態に係る移動通信制御システム）
図１７を参照して、本発明の第４の実施形態に係る移動通信制御システムについて説明する。本実施形態に係る移動通信制御システムは、ネットワーク管理サーバＮＣＰＦのルーティングテーブル管理部１１の構成において、上述の第１乃至第３の実施形態に係る移動通信制御システムと相違する。
【０１８０】
ネットワーク管理サーバＮＣＰＦのルーティングテーブル管理部１１は、図１７に示すように、モバイルノードに無線接続されている複数のモバイル端末（移動通信端末）ＭＮのアドレスをまとめて管理する。
【０１８１】
通常、ルーティングテーブル管理部１１は、モバイル端末ＭＴ毎に、気付アドレスＣｏＡやルーティングアドレスＲＡ等の可変アドレスを管理する。例えば、図１７に示すように、モバイル端末ＭＴ＃１用の記憶領域に「可変アドレス＃１」を管理し、モバイル端末ＭＴ＃４用の記憶領域に「可変アドレス＃４」を管理する。
【０１８２】
しかしながら、このような構成によると、モバイルノードＭＮが無線接続するアクセスノードＡＮを変更した場合、ネットワーク管理サーバＮＣＰＦのルーティングテーブル管理部１１は、当該モバイルノードＭＮ配下の全てのモバイル端末ＭＴ用の記憶領域にアクセスして「可変アドレス」を変更しなくてはならないという問題点があった。
【０１８３】
したがって、本実施形態では、図１７に示すように、モバイルノードＭＮ＃１配下のモバイル端末ＭＴ＃２、ＭＴ＃３用の記憶領域が、モバイルノードＭＮ＃１に属している旨のみ管理し、モバイルノードＭＮ＃１用の記憶領域に、モバイル端末ＭＴ＃２の可変アドレス＃２及びモバイル端末ＭＴ＃３の可変アドレス＃３を管理するように構成する。
【０１８４】
かかる構成によれば、モバイルノードＭＮが無線接続するアクセスノードＡＮを変更した場合であっても、ネットワーク管理サーバＮＣＰＦのルーティングテーブル管理部１１は、当該モバイルノードＭＮ用の記憶領域にアクセスして「可変アドレス」を変更するだけでよいため、ルーティングテーブルの更新にかかる時間を削減することができる。
【０１８５】
なお、本発明に係るネットワーク管理サーバＮＣＰＦのルーティングテーブル管理部１１は、本実施形態に係る移動通信制御システムにおいて適用されるだけはなく、アクセスノード配下に、複数のモバイル端末と無線接続可能なモバイルノードを具備する任意の移動通信制御システム（例えば、モバイルＩＰシステム等）において適用可能である。
【０１８６】
【発明の効果】
以上説明したように、本発明によれば、パケットのヘッダサイズ問題、ルート最適化問題及びロケーションプライバシー問題を解決するための移動通信制御システム、ネットワーク管理サーバ、モバイルノード、アクセスノード及びアンカーノードを提供することができる。
【図面の簡単な説明】
【図１】本発明の一実施形態に係る移動通信制御システムの全体構成図である。
【図２】本発明の一実施形態に係る移動通信制御システムのネットワーク管理サーバの機能ブロック図である。
【図３】本発明の一実施形態に係る移動通信制御システムのアクセスノードの機能ブロック図である。
【図４】本発明の一実施形態に係る移動通信制御システムのモバイルノードの機能ブロック図である。
【図５】本発明の一実施形態に係る移動通信制御システムのモバイル端末の機能ブロック図である。
【図６】本発明の一実施形態に係る移動通信制御システムにおけるパケット転送動作を示すシーケンス図である。
【図７】本発明の一実施形態に係る移動通信制御システムにおけるアドレス割当動作を示すシーケンス図である。
【図８】本発明の一実施形態に係る移動通信制御システムにおけるアドレス割当動作を示すシーケンス図である。
【図９】本発明の一実施形態に係る移動通信制御システムの全体構成図である。
【図１０】本発明の一実施形態に係る移動通信制御システムのアンカーノードの機能ブロック図である。
【図１１】本発明の一実施形態に係る移動通信制御システムのネットワーク管理サーバにおいて管理されるルーティングテーブルの一例を示す図である。
【図１２】本発明の一実施形態に係る移動通信制御システムにおけるパケット転送動作を示すシーケンス図である。
【図１３】本発明の一実施形態に係る移動通信制御システムにおけるアドレス割当動作を示すシーケンス図である。
【図１４】本発明の一実施形態に係る移動通信制御システムにおけるアドレス割当動作を示すシーケンス図である。
【図１５】本発明の一実施形態に係る移動通信制御システムの全体構成図である。
【図１６】本発明の一実施形態に係る移動通信制御システムにおけるアドレス割当動作を示すシーケンス図である。
【図１７】本発明の一実施形態に係る移動通信制御システムのネットワーク管理サーバのルーティングテーブル管理部の一例を示す図である。
【図１８】従来技術に係る移動通信制御システムの全体構成図である。
【図１９】従来技術に係る移動通信制御システムにおけるパケット転送動作を示すシーケンス図である。
【図２０】従来技術に係る移動通信制御システムにおけるパケット転送動作を示すシーケンス図である。
【符号の説明】
１…コアネットワーク
２…モバイルネットワーク
ＡＮ＃１、ＡＮ＃２…アクセスノード
ＡＮＮ…アンカーノード
ＭＮ…モバイルノード
３１、４１、６１…アドレス変換テーブル管理部
３２、４２、５２…位置情報管理部
３３、４３、６３…ネットワーク管理サーバＩ／Ｆ
３４…モバイルノードＩ／Ｆ
３５、４５…モバイル端末Ｉ／Ｆ
３６、４６、６６…アドレス変換部
３７、４７、６７…ルーティング部
３８、４８、６８…アクセスノードＩ／Ｆ
ＭＴ＃１、ＭＴ＃２…モバイル端末
５１…通信Ｉ／Ｆ
５３…通信部
ＮＣＰＦ…ネットワーク管理サーバ
１１…ルーティングテーブル管理部
１２…位置情報管理部
１３…ルータ装置制御部
【図１】
2004242019.tif 000003
【図２】
2004242019.tif 000004
【図３】
2004242019.tif 000005
【図４】
2004242019.tif 000006
【図５】
2004242019.tif 000007
【図６】
2004242019.tif 000008
【図７】
2004242019.tif 000009
【図８】
2004242019.tif 000010
【図９】
2004242019.tif 000011
【図１０】
2004242019.tif 000012
【図１１】
2004242019.tif 000013
【図１２】
2004242019.tif 000014
【図１３】
2004242019.tif 000015
【図１４】
2004242019.tif 000016
【図１５】
2004242019.tif 000017
【図１６】
2004242019.tif 000018
【図１７】
2004242019.tif 000019
【図１８】
2004242019.tif 000020
【図１９】
2004242019.tif 000021
【図２０】
2004242019.tif 000022